(57)【要約】【課題】上面シートと下面シートとの間に挟み込んだ書類の文字や地図等の情報を上面シートの外側から拡大して視認でき、且つ薄くて軽い使い勝手の良い書類収納用ファイルを低コストで提供する。【解決手段】上面シート２の隣り合う二辺と下面シート３とを接続する接続部４と、上面シート２の残りの二辺と下面シート３との間に形成された開口部５とを有し、上面シート２に、透明な平板状のフレネルレンズ１４を設けた。上面シート２と下面シート３との間に収納された書類６の文字や地図等の情報を上面シート２のフレネルレンズ１４で拡大して視認する際、使用者が開口部５に手指を入れて上面シート２を下面シート３から離間させることで、下面シート３の内側面に載せられた書類６と上面シート２に設けられたフレネルレンズ１４との焦点距離を容易に調節できる。【選択図】図１
2014121844.tif 000002
【特許請求の範囲】
【請求項１】
上面シートと、該上面シートに重ねられた下面シートと、前記上面シートの縁の一部と前記下面シートの縁の一部とを接続する接続部と、前記上面シートの縁の残部と前記下面シートの縁の残部との間に形成された開口部とを有し、該開口部から書類を前記上面シートと前記下面シートとの間に出し入れする書類収納用ファイルであって、
前記上面シートの少なくとも一部分に、透明な平板状のフレネルレンズを設けたことを特徴とする書類収納用ファイル。
【請求項２】
前記上面シート及び前記下面シートが共に長方形であり、
前記上面シートの隣り合う二辺の縁と前記下面シートの隣り合う二辺の縁とが接続されて前記接続部となり、
前記上面シートの残りの二辺の縁と前記下面シート残りの二辺の縁との間に前記開口部が形成され、
前記フレネルレンズは、そのレンズ中心と前記開口部を成す二辺の角部との距離が前記レンズ中心と前記接続部を成す二辺の角部との距離よりも近くなるように、前記上面シートに偏らせて配置された請求項１に記載の書類収納用ファイル。
【請求項３】
前記上面シートに、前記上面シートと前記下面シートとの間に挟まれた書類を前記上面シートの外側から視認するための透明な透過面が設けられた請求項１又は２に記載の書類収納用ファイル。
【請求項４】
前記フレネルレンズのレンズ凹凸部が、前記上面シートの内側面に形成された請求項１から３の何れか１項に記載の書類収納用ファイル。
【請求項５】
前記レンズ凹凸部が、前記上面シートの厚さ内に形成された請求項４に記載の書類収納用ファイル。
【発明の詳細な説明】
【技術分野】
【０００１】
本発明は、上面シートと下面シートとの間に、書類を挟むようにした書類収納用ファイルに関する。
【背景技術】
【０００２】
書類収納用ファイルとして、透明な長方形状の上面シートと、上面シートに重ねられた長方形状の下面シートとを有し、上面シートの隣り合う二辺の縁が下面シートの隣り合う二辺の縁に接続され、上面シートの残りの二辺の縁と下面シートの残りの二辺の縁との間が開口され、開口から書類を上面シートと下面シートとの間に出し入れするものが知られている（特許文献１）。
【０００３】
この種の書類収納用ファイルにおいては、上面シートと下面シートとの間に挟み込んだ書類を、透明な上面シートの外側から視認できるので、書類をファイルから取り出すことなく、ファイルに挟んだ書類の情報を把握することができる。すなわち、かかる書類収納用ファイルは、書類を挟んでコンパクトに収納する第１の機能と、挟んだ書類の情報を外側から視認する第２の機能とを有する。
【先行技術文献】
【特許文献】
【０００４】
【特許文献１】特開２０１０−９４９３５号公報
【発明の概要】
【発明が解決しようとする課題】
【０００５】
ところで、上述の書類収納用ファイルでは、上面シートと下面シートとの間に挟み込んだ書類を透明な上面シートの外側から視認できるものの、書類に記載された文字や地図等の情報が細かい場合、それらの情報を拡大して見ることはできない。高齢化が進む社会情勢を考慮すると、ファイルを使用する中高齢者が、老眼鏡を掛けることなく、ファイルに挟まれた書類の細かな文字や地図等の情報を判読できれば便利である。
【０００６】
これを実現するため、書類収納用ファイルに凸レンズを組み込むことが考えられるが、通常の凸レンズを組み込むとファイルの厚さ及び重量が増大してしまい、書類を挟み込んでコンパクトに収納するという書類収納用ファイルの第１の機能が阻害されてしまう。すなわち、凸レンズを組み込むことは、ファイルの厚さ及び重量の増大を招き、書類収納用ファイルとしての本質的な機能を損ない、本末転倒となる。
【０００７】
以上の事情を考慮して創案された本発明の目的は、上面シートと下面シートとの間に挟み込んだ書類の文字や地図等の情報を上面シートの外側から拡大して視認でき、且つ薄くて軽い使い勝手の良い書類収納用ファイルを提供することにある。
【課題を解決するための手段】
【０００８】
上記目的を達成するために創案された本発明に係る書類収納用ファイルは、上面シートと、上面シートに重ねられた下面シートと、上面シートの縁の一部と下面シートの縁の一部とを接続する接続部と、上面シートの縁の残部と下面シートの縁の残部との間に形成された開口部とを有し、開口部から書類を上面シートと下面シートとの間に出し入れする書類収納用ファイルであって、上面シートの少なくとも一部分に、透明な平板状のフレネルレンズを設けたことを特徴とする書類収納用ファイルである。
【０００９】
上述の上面シート及び下面シートが共に長方形であり、上面シートの隣り合う二辺の縁と下面シートの隣り合う二辺の縁とが接続されて接続部となり、上面シートの残りの二辺の縁と下面シート残りの二辺の縁との間に開口部が形成され、フレネルレンズは、そのレンズ中心と開口部を成す二辺の角部との距離がレンズ中心と接続部を成す二辺の角部との距離よりも近くなるように、上面シートに偏らせて配置されていてもよい。
【００１０】
上述の上面シートに、上面シートと下面シートとの間に挟まれた書類を上面シートの外側から視認するための透明な透過面が設けられていてもよい。
【００１１】
上述のフレネルレンズのレンズ凹凸部が、上面シートの内側面に形成されていてもよい。
【００１２】
上述のレンズ凹部が、上面シートの厚さ内に形成されていてもよい。
【発明の効果】
【００１３】
本発明に係る書類収納用ファイルにおいては、ファイルを構成する上面シートに透明な平板状のフレネルレンズを設けたので、通常の凸レンズを設けた場合と比べて、薄くて軽い書類収納用ファイルを実現できる。
【００１４】
また、上面シートの縁の一部と下面シートの縁の一部とが接続部で接続され、上面シートの縁の残部と下面シートの縁の残部との間に、書類を出し入れするための開口部が形成されているので、上面シートと下面シートとの間に収納された書類の文字や地図等の細かな情報を上面シートに設けたフレネルレンズで拡大して視認する際、使用者が開口部に手指を入れて上面シートを下面シートから離間させることで、下面シートの内側面に載せられた書類と上面シートに設けられたフレネルレンズとの距離を容易に変更できる。
【００１５】
この結果、上面シートと下面シートとの間に収納された書類の文字や地図等の情報を上面シートの外側からフレネルレンズで拡大して視認する際、書類を上面シートと下面シートとの間から取り出すことなく倍率に応じた焦点距離の調節（ピント合わせ）を容易に行うことができ、使い勝手が良い。
【図面の簡単な説明】
【００１６】
【図１】本発明の第１実施形態に係る書類収納用ファイルの斜視図である。
【図２】図１の書類収納用ファイルの展開図である。
【図３】図１の書類収納用ファイルに収納された書類を上面シートの外側からフレネルレンズで拡大して視認する様子を示す部分断面図（模式図）である。
【図４】本発明の第２実施形態を示す書類収納用ファイルの部分断面図（模式図）である。
【図５】（ａ）は本発明の第３実施形態の書類収納用ファイル、（ｂ）は第４実施形態を示す書類収納用ファイルの斜視図である。
【図６】（ａ）は本発明の第５実施形態の書類収納用ファイル、（ｂ）は第６実施形態を示す書類収納用ファイルの斜視図である。
【図７】本発明の第７実施形態を示す書類収納用ファイルの斜視図である。
【図８】本発明の第８実施形態を示す書類収納用ファイルの斜視図である。
【発明を実施するための形態】
【００１７】
以下に添付図面を参照しながら、本発明の好適な実施形態について詳細に説明する。かかる実施形態に示す寸法、材料、その他具体的な数値等は、発明の理解を容易にするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１８】
（書類収納用ファイル：第１実施形態）
図１に本発明の第１実施形態に係る書類収納用ファイル１の斜視図を示し、図２にその書類収納用ファイル１の展開図を示す。図１に示すように、この書類収納用ファイル１は、上面シート２と、上面シート２に重ねられた下面シート３と、上面シート２の縁の一部と下面シート３の縁の一部とを接続する接続部４と、上面シート２の縁の残部と下面シート３の縁の残部との間に形成された開口部５とを有し、開口部５から書類６を上面シート２と下面シート３との間に出し入れするものである。
【００１９】
図１に示す上面シート２及び下面シート３は、ＰＰ（ポリプロピレン）、ＰＥＴ（ポリエチレンテレフタラート）、ＰＡ（ポリアミド）等の柔軟性を有するプラスチックから、厚さ０．２〜０．３ｍｍ程度の長方形（例えばＡ４サイズ）に形成されている。上面シート２の隣り合う二辺の縁と下面シート３の隣り合う二辺の縁とが接続されて上述した接続部４となり、上面シート２の残りの二辺の縁と下面シート３の残りの二辺の縁との間に上述した開口部５が形成されている。詳しくは、図２に示すように、上面シート２の長辺と下面シート３の長辺とが繋がって一枚のシートとなっており、それを長辺（図２の破線７）で谷折りに折り曲げた後、上面シート２の短辺８と下面シート３の短辺９とを溶着或いは接着することで上述した接続部４となり、残りの二辺が上述した開口部５となる。
【００２０】
図１、図２に示すように、上面シート２は、下面シート３よりも２〜３ｍｍ程度長く形成されており、上面シート２と下面シート３との間には、段差部１０が形成されている。段差部１０は、使用者が上面シート２を捲る際の手掛かりとなる。また、上面シート２の縁には、別の手掛かりとなる窪み部１１も形成されている。上面シート２の開口部５を成す二辺の角部５ａには、細かな凹凸形状の滑止部１２が形成されている。滑止部１２は、上面シート２の外側面及び内側面の少なくとも一方に形成されており、使用者が上面シート２の角部５ａを摘む際の滑り止めとなる。上面シート２及び下面シート３は、共に透明でもよいが、下面シート３は必ずしも透明である必要はない。本明細書における透明の概念には、無色透明の他、有色透明も含む。
【００２１】
図１、図２に示すように、上面シート２には、透明な平板状のフレネルレンズ１４が設けられている。フレネルレンズ１４は、凸レンズを同心円状に細かく多分割してそれらを平面的に繋げたものである。かかるフレネルレンズ１４は、上面シート２をプレス加工することで、上面シート２に一体的に形成してもよいし、別途用意したフレネルレンズ１４を、上面シート２の一部を枠状に切り取ってその窓部に装着（接着、溶着）してもよい。後者の場合、別途用意するフレネルレンズ１４の材質は、上面シート２と同種の材質でもよいし、上面シート２よりも透明度の高い別種（アクリル等）の材質でもよい。
【００２２】
図１、図２に示すように、フレネルレンズ１４は、上面シート２に偏って配置されている。詳しくは、上面シート２を、上述した開口部５を成す二辺の角部５ａを含む開口部側エリアＸと、上述した接続部４を成す二辺の角部４ａを含む接続部側エリアＹとに仮想的に二点鎖線Ｌ１で二等分したとき、フレネルレンズ１４のレンズ中心１４ａが、開口部側エリアＸに配設されている。すなわち、フレネルレンズ１４は、レンズ中心１４ａと開口部５の角部５ａとの距離がレンズ中心１４ａと接続部４の角部４ａとの距離よりも近くなるように、上面シート２に偏らせて配置されている。
【００２３】
図３に示すように、フレネルレンズ１４は、一方の面にレンズ凹凸部１６が形成され、他方の面が平板部１７となっており、平板部１７が上面シート２の外側面に配置され、レンズ凹凸部１６が上面シート２の内側面に形成されている。レンズ凹凸部１６は、レンズ凹部１６ａとレンズ凸部１６ｂとが同心リング状に交互に配置された構成となっており、上面シート２の厚さ内に形成されている。すなわち、レンズ凹部１６ａが、上面シート２の内側面から外側面に向けて窪んで形成され、レンズ凸部１６ｂが、上面シート２の厚さ内に形成されている。なお、図３等においては、分かり易いようにレンズ凹凸部１６を実際よりも誇張して模式的に大きく描いているが、実際のレンズピッチ（フレネルピッチ）は、例えば０．０５〜０．５ｍｍ程度となっている。
【００２４】
図１、図２に示すように、上面シート２には、上面シート２と下面シート３との間に挟まれた書類６を上面シート２の外側から視認するための透明な透過面１８が設けられている。上面シート２が透明な場合、上面シート２におけるフレネルレンズ１４を除いた全ての部分が透過面１８となる。上面シート２が着色される等して不透明な場合、上面シート２の何れかの部分に透過面１８が設けられる。透過面１８は、フレネルレンズ１４を囲むように設けられることが好ましい。
【００２５】
（作用・効果）
図１に〜図３に示すように、本実施形態に係る書類収納用ファイル１においては、ファイル１を構成する上面シート２に透明な平板状のフレネルレンズ１４を設けたので、通常の凸レンズを設けた場合と比べて、薄くて軽い書類収納用ファイル１を実現できる。すなわち、書類６を挟み込んでコンパクトに収納するという書類収納用ファイル１の本質的な機能が阻害されることはない。
【００２６】
上面シート２の隣り合う二辺と下面シート３の隣り合う二辺とが接続部４で接続され、上面シート２の残りの二辺と下面シート３の残りの二辺との間に、書類６を出し入れするための開口部５が形成されているので、上面シート２と下面シート３との間に収納された書類６の文字や地図等の細かな情報を上面シート２に設けたフレネルレンズ１４で拡大して視認する際、使用者が開口部５に手指を入れて上面シート２を下面シート３から離間させることで、下面シート３の内側面に載せられた書類６と上面シート３に設けられたフレネルレンズ１４との距離を容易に変更できる。
【００２７】
この結果、上面シート２と下面シート３との間に収納された書類６の文字や地図等の情報を上面シート２の外側からフレネルレンズ１４で拡大して視認する際、書類６を上面シート２と下面シート３との間から取り出すことなく倍率に応じた焦点距離の調節（ピント合わせ）を容易に行うことができ、使い勝手が良い。
【００２８】
また、図１に示すように、フレネルレンズ１４は、そのレンズ中心１４ａと開口部５を成す二辺の角部５ａとの距離が、レンズ中心１４ａと接続部４を成す二辺の角部４ａとの距離よりも近くなるように、上面シート２に偏らせて配置されている。これにより、上面シート２の角部５ａを下面シート３から離間するように持ち上げて、下面シート３に載せられた書類６と上面シート２のフレネルレンズ１４との距離（焦点距離）を調節する際、フレネルレンズ１４が設けられていない接続部４の根元側の距離（持上高）Ｈ１よりもフレネルレンズ１４が設けられた開口部５の角部５ａ側の距離（持上高）Ｈ２の方が長くなる。従って、フレネルレンズ１４の焦点距離の調節長さを可及的に長くでき、倍率及びピント合わせの範囲が広がり、使い勝手が向上する。
【００２９】
また、図１に示すように、上面シート２には、フレネルレンズ１４が設けられた部分以外の部分に、上面シート２と下面シート３との間に挟まれた書類６を上面シート２の外側から視認するための透明な透過面１８が設けられている。これにより、透過面１８を通じて上面シート２の外側から書類６の拡大すべき部分を確認しつつ、書類６をずらすことで拡大すべき部分をフレネルレンズ１４の下方に移動させることができる。すなわち、様々な情報が記載された書類６をファイル１に挟んだ状態で、書類６の拡大すべき部分を透過面１８を通じて特定し、その部分を的確にフレネルレンズ１４で拡大できるので、使い勝手がよい。
【００３０】
ここで、上面シート２の持上高Ｈ２を零とした場合（ファイル１を閉じた場合）、ファイル１に挟んだ書類６に対するフレネルレンズ１４の倍率は略１倍となるので、透過面１８の部分とフレネルレンズ１４の部分とで書類６の見え方（倍率）が異なることはない。従って、書類６をファイル１に挟んで閉じた状態で、書類６の拡大すべき部分を透過面１８を通じて探す際、フレネルレンズ１４の部分を通じても、違和感無く探すことができる。よって、透過面１８は、フレネルレンズ１４と連なるように配置されることが好ましい。また、上面シート２の一部にのみフレネルレンズ１４を設けて残部に透過面１８を設けることで、上面シート２の全面にフレネルレンズ１４を設けた場合よりも、フレネルレンズ１４の大きさ（面積）を小さくできるので、低コストで製造できる。
【００３１】
また、図３に示すように、フレネルレンズ１４のレンズ凹凸部１６は、上面シート２の内側面に形成されている。これにより、レンズ凹凸部１６が、上面シート２の外側面と下面シート３とによって外部から防護され、汚れ難く損傷し難くなる。仮に、レンズ凹凸部１６が上面シート２の外側面に形成されていると、ファイル１の使用に伴ってファイル１の周辺の様々な品物（本や文房具等）がレンズ凹凸部１６に押しつけられてレンズ凸部１６ｂが潰れたり、レンズ凹部１６ａに埃が詰まったりする可能性があるが、これらの不具合を未然に回避できる。
【００３２】
また、図３に示すように、フレネルレンズ１４のレンズ凹凸部１６を構成するレンズ凹部１６ａが、上面シート２の内側面から外側面に向けて窪んで形成され、フレネルレンズ１４のレンズ凹凸部１６を構成するレンズ凸部１６ｂが、上面シート２の厚さ内に形成されている。これにより、フレネルレンズ１４を上面シート２の厚さ内に収めることができ、フレネルレンズ１４を組み込むことでファイル１の厚さが増大してしまうことを抑制できる。
【００３３】
以上説明したように本実施形態に係る書類収納用ファイル１によれば、上面シート２と下面シート３との間に挟み込んだ書類６の文字や地図等の情報を上面シート２の外側から拡大して視認でき、且つ薄くて軽い使い勝手の良い書類収納用ファイル１を低コストで実現できる。
【００３４】
（第２実施形態）
図４に本発明の第２実施形態に係る書類収納用ファイル１ａの部分断面図を示す。第２実施形態に係る書類収納用ファイル１ａは、上述した第１実施形態の書類収納用ファイル１と基本的な構成要素は同一であり、フレネルレンズ１４のレンズ凹凸部１６のレンズ凸部１６ｂが上面シート２の内側面に突出するように形成されている点が第１実施形態と相違する。第１実施形態と同一の構成要素には同一の符号を付して説明を省略する。第２実施形態によれば、上面シート２のフレネルレンズ１４の部分の最小厚さ（レンズ凹部１６ａの部分の厚さ）が図３に示す第１実施形態よりも大きくなるので、耐久性が向上する。その他、第２実施形態の基本的な作用効果は、第１実施形態と同様であるので説明を省略する。
【００３５】
（第３、第４実施形態）
図５（ａ）に本発明の第３実施形態に係る書類収納用ファイル１ｂを、図５（ｂ）に第４実施形態に係る書類収納用ファイル１ｃを示す。第３、第４実施形態に係る書類収納用ファイル１ｂ、１ｃは、第１実施形態の書類収納用ファイル１と基本的な構成要素は同一であり、第１実施形態と同一の構成要素には同一の符号を付して説明を省略する。第３実施形態の書類収納用ファイル１ｂは、フレネルレンズ１４を上面シート２の開口部側エリアＸの全面に矩形状に設け、第４実施形態の書類収納用ファイル１ｃは、フレネルレンズ１４を上面シート２の開口部側エリアＸに円形状に設けた点が、第１実施形態と相違する。第３、第４実施形態の基本的な作用効果は、第１実施形態と同様であるので説明を省略する。
【００３６】
（第５、第６実施形態）
図６（ａ）に本発明の第５実施形態に係る書類収納用ファイル１ｄを、図６（ｂ）に第６実施形態に係る書類収納用ファイル１ｅを示す。第５、第６実施形態に係る書類収納用ファイル１ｄ、１ｅは、第１実施形態の書類収納用ファイル１と基本的な構成要素は同一であり、上面シート２を短辺に平行な仮想線Ｌ１と長辺に平行な仮想線Ｌ２とで面積が四分の一となるように等分したとき、開口部５を成す二辺の角部５ａを含む角部エリアＺにフレネルレンズ１４のレンズ中心１４ａを設けた点が、第１実施形態と相違し、第１実施形態と同一の構成要素には同一の符号を付して説明を省略する。
【００３７】
第５実施形態の書類収納用ファイル１ｄは、フレネルレンズ１４が上面シート２の角部エリアＺの全面に矩形状に設けられ、第６実施形態の書類収納用ファイル１ｅは、フレネルレンズ１４が上面シート２の角部エリアＺに円形状に設けられている。第５、第６実施形態によれば、上面シート２の角部５ａを持ち上げた際、フレネルレンズ１４（レンズ中心１４ａ）と下面シート３との距離が第１実施形態よりも大きくなる。従って、下面シート５に載せられた書面６（図３参照）と上面シート２のフレネルレンズ１４との焦点距離の調節長さを、第１実施形態よりも稼ぐことができる。その他、第５、第６実施形態の基本的な作用効果は、第１実施形態と同様であるので説明を省略する。
【００３８】
（第７実施形態）
図７に本発明の第７実施形態に係る書類収納用ファイル１ｆを示す。第７実施形態に係る書類収納用ファイル１ｆは、第１実施形態の書類収納用ファイル１と基本的な構成要素は同一であり、フレネルレンズ１４を上面シート２の全面に設けた点が第１実施形態と相違する。第１実施形態と同一の構成要素には同一の符号を付して説明を省略する。第７実施形態の基本的な作用効果は、第１実施形態と同様であるので説明を省略する。
【００３９】
（第８実施形態）
図８に本発明の第８実施形態に係る書類収納用ファイル１ｇを示す。第８実施形態に係る書類収納用ファイル１ｇは、上面シート２を下面が開口された上部ボックス体で構成し、下面シート３を上面が開口された下部ボックス体で構成したものである。上部ボックス体、下部ボックス体は、プラスチックの薄板から成る。「シート」の概念には、「薄板」も含まれる。上部ボックス体と下部ボックス体とは、接続部４で開閉自在に接続されており、上部ボックス体の頂面には、フレネルレンズ１４が設けられている。その他、第８実施形態の基本的な構成要素は第１実施形態と同様であり、第８実施形態の基本的な作用効果は、第１実施形態と同様である。
【００４０】
以上、添付図面を参照しつつ本発明の好適な実施形態について説明したが、本発明は上述した各実施形態に限定されないことは勿論であり、特許請求の範囲に記載された範疇における各種の変更例又は修正例についても、本発明の技術的範囲に属することは言うまでもない。例えば、図１等に示す滑止部１２、段差部１０は、省略してもよい。また、上面シート２及び下面シート３の形状は、長方形に限られず円形や楕円形でもよく、上面シート２と下面シート３とで形状が異なっていても構わない。また、上面シート２及び下面シート３を長方形として一辺（短辺又は長辺）を除き三辺を接続し、後者の三辺を接続部４、前者の一辺を開口部５とし、袋状の書類収納用ファイルとしてもよい。
【産業上の利用可能性】
【００４１】
本発明は、上面シートと下面シートとの間に、書類を挟むようにした書類収納用ファイルに利用できる。
【符号の説明】
【００４２】
１  書類収納用ファイル
２  上面シート
３  下面シート
４  接続部
４ａ  角部
５  開口部
５ａ  角部
６  書類
１４  フレネルレンズ
１４ａ  レンズ中心
１６  レンズ凹凸部
１８  透過面
【図１】
2014121844.tif 000003
【図２】
2014121844.tif 000004
【図３】
2014121844.tif 000005
【図４】
2014121844.tif 000006
【図５】
2014121844.tif 000007
【図６】
2014121844.tif 000008
【図７】
2014121844.tif 000009
【図８】
2014121844.tif 000010